(57)【要約】      （修正有）【課題】利用者の手を煩わせることなく活動情報をサービス提供者に提供可能として、活動情報を利用したサービスの提供や活動情報測定装置の普及促進を図ることのできる活動情報測定装置、端末装置、通信制御方法、サービス提供方法、通信制御プログラム、及びサービス提供プログラムを提供する。【解決手段】活動情報測定装置１０は、体動センサ１の出力情報に基づいて歩数情報を生成する活動情報生成部と、近距離無線通信を行うための通信部３と、通信部３による他装置との通信確立のために必要な通信確立用情報に、活動情報生成部により生成された歩数情報と装置の利用者情報とを含めて通信部３から送信させる制御を行う通信制御部と、を備える。【選択図】図２
2017012661.tif 000002
【特許請求の範囲】
【請求項１】
センシングデバイスの出力情報に基づいて、運動情報と生体情報の少なくとも一方を含む生体の活動情報を生成する活動情報生成部と、
近距離無線通信を行うための通信部と、
前記通信部による他装置との通信確立のために必要な通信確立用情報に、前記活動情報生成部により生成された活動情報と装置の利用者に関する利用者情報とを含ませて、前記通信確立用情報を前記通信部から送信させる第一の制御を行う通信制御部と、を備える活動情報測定装置。
【請求項２】
請求項１記載の活動情報測定装置であって、
前記通信制御部は、前記活動情報及び前記利用者情報を含まない通信確立用情報を前記通信部から送信させる第二の制御と前記第一の制御とを選択的に行う活動情報測定装置。
【請求項３】
請求項２記載の活動情報測定装置であって、
位置情報を取得する位置情報取得部を更に備え、
前記通信制御部は、前記位置情報取得部により取得された位置情報にしたがって前記第一の制御と前記第二の制御のいずれかを選択して実行する活動情報測定装置。
【請求項４】
請求項３記載の活動情報測定装置であって、
前記通信制御部は、前記位置情報取得部により取得された位置情報が予め登録された場所に属する場合には前記第一の制御を行い、前記位置情報取得部により取得された位置情報が前記場所に属さない場合には前記第二の制御を行う活動情報測定装置。
【請求項５】
近距離無線通信を行うための第一の通信部と、
センシングデバイスの出力情報に基づいて、運動情報と生体情報の少なくとも一方を含む生体の活動情報を生成する活動情報生成部と、近距離無線通信を行うための第二の通信部と、前記第二の通信部による他装置との通信確立のために必要な通信確立用情報に、前記活動情報生成部により生成された活動情報と装置の利用者に関する利用者情報とを含ませた状態で、前記通信確立用情報を前記第二の通信部から送信させる第一の制御を行う通信制御部と、を有する活動情報測定装置から、前記第一の制御によって送信されてくる前記通信確立用情報を前記第一の通信部を介して取得する通信確立用情報取得部と、
前記取得した通信確立用情報に含まれる活動情報及び前記利用者情報に基づいて、前記活動情報測定装置の利用者にサービスを提供するための画像情報を生成する情報生成部と、
前記情報生成部により生成された画像情報を表示部に表示させる表示制御部と、を備える端末装置。
【請求項６】
近距離無線通信を行うための通信部と、センシングデバイスの出力情報に基づいて、運動情報と生体情報の少なくとも一方を含む生体の活動情報を生成する活動情報生成部と、を有する装置における通信制御方法であって、
前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行う通信制御方法。
【請求項７】
センシングデバイスの出力情報に基づいて、運動情報と生体情報の少なくとも一方を含む生体の活動情報を生成する活動情報生成部と、近距離無線通信を行うための通信部と、前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行う通信制御部と、を有する活動情報測定装置から、前記第一の制御によって送信されてくる前記通信確立用情報を、近距離無線通信を行うための通信部を介して取得する通信確立用情報取得ステップと、
前記取得した通信確立用情報に含まれる活動情報及び前記利用者情報に基づいて、前記活動情報測定装置の利用者にサービスを提供するための画像情報を生成する情報生成ステップと、
前記情報生成ステップにより生成された画像情報を表示部に表示させる表示制御ステップと、を備えるサービス提供方法。
【請求項８】
請求項６記載の通信制御方法をコンピュータに実行させるための通信制御プログラム。
【請求項９】
請求項７記載のサービス提供方法の各ステップをコンピュータに実行させるためのサービス提供プログラム。
【発明の詳細な説明】
【技術分野】
【０００１】
本発明は、活動情報測定装置、端末装置、通信制御方法、サービス提供方法、通信制御プログラム、及びサービス提供プログラムに関する。
【背景技術】
【０００２】
近年、加速度センサ及び角速度センサ等の体の動きを検出する体動センサを用いることにより、活動量（歩数、歩行距離、及び消費カロリー等）及び運動のペース（歩行速度及び走行速度等）を示す運動ペース情報等の運動情報と、心拍数及び脈拍数等の生体情報と、の少なくとも一方を含む生体の活動情報を測定することのできる活動情報測定装置の開発が盛んである。
【０００３】
こういった活動情報測定装置には、近距離無線通信機能を有するものが知られており、この機能を利用することで、様々なサービスが提供可能である。
【０００４】
例えば、特許文献１には、歩数計で測定された歩数が近距離無線通信で店舗端末に送られると、店舗端末が、受信した情報に基づいて歩数計の利用者にポイント付与等を行うシステムが開示されている。
【先行技術文献】
【特許文献】
【０００５】
【特許文献１】特開２０１２−５８８９５号公報
【発明の概要】
【発明が解決しようとする課題】
【０００６】
現在普及している多くの活動情報測定装置は、内部メモリに蓄積されている歩数等の活動情報を、例えば、ブルートゥース（登録商標）やＷｉ−Ｆｉ等の規格に準拠する無線通信で電子機器に送信する。そして、電子機器側のアプリケーションプログラム等で活動情報を管理することが行われる。
【０００７】
この場合において、活動情報測定装置と電子機器とは、無線通信で相互接続するための事前設定や、通信を開始するためのボタン操作等が必要となる。
【０００８】
特許文献１に開示されているようなサービスにおいても、基本的には、利用者による事前設定や店舗端末と通信を開始するための操作が必要となり、サービス普及の妨げとなる。
【０００９】
本発明は、上記事情に鑑みてなされたものであり、利用者の手を煩わせることなく活動情報をサービス提供者に提供可能として、活動情報を利用したサービスの提供や活動情報測定装置の普及促進を図ることのできる活動情報測定装置、端末装置、通信制御方法、サービス提供方法、通信制御プログラム、及びサービス提供プログラムを提供することを目的とする。
【課題を解決するための手段】
【００１０】
本発明の活動情報測定装置は、センシングデバイスの出力情報に基づいて、運動情報と生体情報の少なくとも一方を含む生体の活動情報を生成する活動情報生成部と、近距離無線通信を行うための通信部と、前記通信部による他装置との通信確立のために必要な通信確立用情報に、前記活動情報生成部により生成された活動情報と装置の利用者に関する利用者情報とを含ませて、前記通信確立用情報を前記通信部から送信させる第一の制御を行う通信制御部と、を備えるものである。
【００１１】
本発明の端末装置は、近距離無線通信を行うための第一の通信部と、センシングデバイスの出力情報に基づいて、運動情報と生体情報の少なくとも一方を含む生体の活動情報を生成する活動情報生成部と、近距離無線通信を行うための第二の通信部と、前記第二の通信部による他装置との通信確立のために必要な通信確立用情報に、前記活動情報生成部により生成された活動情報と装置の利用者に関する利用者情報とを含ませた状態で、前記通信確立用情報を前記第二の通信部から送信させる第一の制御を行う通信制御部と、を有する活動情報測定装置から、前記第一の制御によって送信されてくる前記通信確立用情報を前記第一の通信部を介して取得する通信確立用情報取得部と、前記取得した通信確立用情報に含まれる活動情報及び前記利用者情報に基づいて、前記活動情報測定装置の利用者にサービスを提供するための画像情報を生成する情報生成部と、前記情報生成部により生成された画像情報を表示部に表示させる表示制御部と、を備えるものである。
【００１２】
本発明の通信制御方法は、近距離無線通信を行うための通信部と、センシングデバイスの出力情報に基づいて、運動情報と生体情報の少なくとも一方を含む生体の活動情報を生成する活動情報生成部と、を有する装置における通信制御方法であって、前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行うものである。
【００１３】
本発明のサービス提供方法は、センシングデバイスの出力情報に基づいて、運動情報と生体情報の少なくとも一方を含む生体の活動情報を生成する活動情報生成部と、近距離無線通信を行うための通信部と、前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行う通信制御部と、を有する活動情報測定装置から、前記第一の制御によって送信されてくる前記通信確立用情報を、近距離無線通信を行うための通信部を介して取得する通信確立用情報取得ステップと、前記取得した通信確立用情報に含まれる活動情報及び前記利用者情報に基づいて、前記活動情報測定装置の利用者にサービスを提供するための画像情報を生成する情報生成ステップと、前記情報生成ステップにより生成された画像情報を表示部に表示させる表示制御ステップと、を備えるものである。
【００１４】
本発明の通信制御プログラムは、コンピュータに、前記通信制御方法の各ステップを実行させるためのプログラムである。
【００１５】
本発明のサービス提供プログラムは、コンピュータに、前記サービス提供方法の各ステップを実行させるためのプログラムである。
【発明の効果】
【００１６】
本発明によれば、利用者の手を煩わせることなく活動情報をサービス提供者に提供可能として、活動情報を利用したサービスの提供や活動情報測定装置の普及促進を図ることのできる活動情報測定装置、端末装置、通信制御方法、サービス提供方法、通信制御プログラム、及びサービス提供プログラムを提供することができる。
【図面の簡単な説明】
【００１７】
【図１】本発明の一実施形態を説明するためのシステム１００の概略構成を示す図である。
【図２】図１に示すシステム１００における活動情報測定装置１０と端末装置３０の内部構成を示すブロック図である。
【図３】図２に示す活動情報測定装置１０の制御部２によって実現される機能ブロックを示す図である。
【図４】通信確立用情報の一例を示す図である。
【図５】図２に示す端末装置３０の制御部３１によって実現される機能ブロックを示す図である。
【図６】図２に示す活動情報測定装置１０の動作を説明するためのフローチャートである。
【図７】図２に示す端末装置３０の動作を説明するためのフローチャートである。
【図８】図２に示す端末装置３０の表示部３４に表示される画面例を示す図である。
【図９】図２に示す活動情報測定装置１０の変形例である活動情報測定装置１０Ａの内部構成を示す図である。
【図１０】図９に示す活動情報測定装置１０Ａの動作を説明するためのフローチャートである。
【発明を実施するための形態】
【００１８】
以下、本発明の実施形態について図面を参照して説明する。
【００１９】
図１は、本発明の一実施形態を説明するためのシステム１００の概略構成を示す図である。システム１００は、活動情報測定装置１０と、端末装置３０と、を備える。
【００２０】
活動情報測定装置１０は、利用者の体に装着されて利用者の活動情報を測定するものであり、利用者の腰に装着するタイプ、利用者の腕に装着するタイプ、利用者の所持するバックや衣服のポケットに入れるタイプ等がある。
【００２１】
活動情報は、利用者の歩数、利用者の歩行距離や走行距離等の移動距離、及び利用者の消費カロリー等の利用者の運動実績を示す運動情報と、利用者の脈拍、心拍、及び血圧等の生体情報とを含む。
【００２２】
端末装置３０は、例えば商業施設に設置されており、大型の表示部を有するコンピュータ等である。
【００２３】
図２は、図１に示す活動情報測定装置１０と端末装置３０の内部構成を示すブロック図である。
【００２４】
活動情報測定装置１０は、体動センサ１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、各種情報を表示するための表示部６と、生体センサ７と、を備える。
【００２５】
体動センサ１は、活動情報測定装置１０が装着された利用者の動きに応じた情報（加速度、角速度等）を検出するためのセンシングデバイスである。体動センサ１は、例えば加速度センサにより構成される。
【００２６】
生体センサ７は、活動情報測定装置１０が装着された利用者の生体情報を測定するためのセンシングデバイスである。生体センサ７は、例えば脈波を検出する脈波センサにより構成される。
【００２７】
制御部２は、記憶部５のＲＯＭに記憶されたプログラムを実行するプロセッサを主体に構成される。
【００２８】
通信部３は、端末装置３０を含む他装置と近距離無線通信を行うためのインターフェースである。
【００２９】
近距離無線通信とは、インターネット等のネットワークを介さずに機器間で直接通信を行える通信規格に準拠した通信のことを言う。
【００３０】
このインターフェースとしては、ＡＮＴに準拠した通信インターフェース、ブルートゥース（登録商標）に準拠した通信インターフェース、ＢＬＥ（Ｂｌｕｅｔｏｏｔｈ  Ｌｏｗ  Ｅｎｅｒｇｙ）に準拠した通信インターフェース、ＺｉｇＢｅｅに準拠した通信インターフェース、Ｗｉ−Ｆｉに準拠した通信インターフェース等が用いられる。
【００３１】
操作部４は、制御部２に各種指示を入力するためのデバイスであり、ボタンや表示部６に搭載されたタッチパネル等により構成される。
【００３２】
記憶部５は、体動センサ１及び生体センサ７によって検出された検出情報を記憶したり、通信部３によって受信される情報を記憶したり、活動情報測定装置１０の動作に必要な情報を記憶したりする。
【００３３】
端末装置３０は、全体を統括制御する制御部３１と、通信部３２と、フラッシュメモリやＲＯＭ等の記憶媒体を含む記憶部３３と、各種情報を表示するための表示部３４と、を備える。
【００３４】
制御部３１は、記憶部３３のＲＯＭに記憶されたプログラムを実行するプロセッサを主体に構成される。
【００３５】
通信部３２は、活動情報測定装置１０を含む他装置と近距離無線通信を行うためのインターフェースである。
【００３６】
記憶部３３は、端末装置３０の動作に必要な情報を記憶したり、通信部３２によって受信された情報を記憶したりする。
【００３７】
表示部３４は、例えば液晶ディスプレイ等からなり、制御部３１の制御の下、各種情報を表示する。
【００３８】
図３は、図２に示す活動情報測定装置１０の記憶部５に記憶されたプログラムをプロセッサが実行することにより制御部２によって実現される機能ブロックを示す図である。
【００３９】
図３に示すように、制御部２は、活動情報生成部２０と、活動情報記録制御部２１と、通信制御部２２と、して機能する。
【００４０】
活動情報生成部２０は、体動センサ１により検出される検出情報に基づいて、自装置の利用者の所定期間（例えば１日）における運動情報（歩数、移動距離、及び消費カロリーとする）を生成する。
【００４１】
活動情報生成部２０は、生体センサ７により検出される検出情報に基づいて、自装置の利用者の上記所定期間における生体情報を生成する。
【００４２】
活動情報生成部２０で生成される生体情報は、利用者の脈拍数の所定期間での履歴、利用者の心拍数の所定期間での履歴、利用者の血圧値の所定期間での履歴等である。
【００４３】
活動情報記録制御部２１は、任意の日において活動情報生成部２０により生成された運動情報をその日付と対応付けて記憶部５に記憶し、任意の日において活動情報生成部２０により生成された生体情報をその日付と対応付けて記憶部５に記憶する。記憶部５に記憶される運動情報及び生体情報を含む活動情報は、時間が経過することで随時更新されていく。
【００４４】
通信制御部２２は、近距離無線通信による他装置との通信確立のために必要な通信確立用情報に、記憶部５に記録された活動情報及び自装置の所持者に関する利用者情報（例えば、利用者によって予め登録された利用者のニックネーム）を含ませる。通信制御部２２は、活動情報及び利用者情報を含む通信確立用情報を、通信部３から送信させる制御を行う。
【００４５】
通信確立用情報とは、通信部３を介して通信を行う他装置を探索するための情報である。通信確立用情報は、空き通信チャンネル、自装置の識別情報（ＩＤ）、通信周波数、データ長、データ種別等の通信確立に必要な情報を含む。
【００４６】
例えば、ブルートゥースの通信規格の拡張仕様の一つに、低消費電力での通信が可能なＢＬＥがある。通信制御部２２は、このＢＬＥのアドバタイズ信号に活動情報と利用者情報を書き込み、活動情報と利用者情報が書き込まれたアドバタイズ信号を通信部３から送信させる。
【００４７】
図４は、ＢＬＥのアドバタイズ信号の一例を示す図である。
【００４８】
図４に示すように、ＢＬＥのアドバタイズ信号４０は、Ｌｅｎｇｔｈ（データ長）、Ｔｙｐｅ（データ種別）、及びＡＤ  ＤＡＴＡ（アドバタイズデータ）からなる。
【００４９】
例えば、通信制御部２２は、このＡＤ  ＤＡＴＡに、利用者情報として利用者のニックネームを設定する。通信制御部２２は、このＡＤ  ＤＡＴＡに、活動情報として、利用者の１日の歩数、直近１週間の歩数、及び直近１か月間の歩数を設定する。利用者の直近１週間の歩数及び直近１か月間の歩数は、記憶部５に日毎に歩数が記憶されていることから、演算によって求めることができる。
【００５０】
活動情報として、利用者の１日の移動距離、直近１週間の移動距離、及び直近１か月間の移動距離を設定してもよい。活動情報として、利用者の１日の消費カロリー、直近１週間の消費カロリー、及び直近１か月間の消費カロリーを設定してもよい。
【００５１】
以上のようにして、通信制御部２２は、活動情報及び利用者情報を通信確立用情報に含ませて、定期的（例えば、１秒毎）に通信部３から送信させる。
【００５２】
図５は、図２に示す端末装置３０の記憶部３３に記憶されたプログラムをプロセッサが実行することにより制御部３１によって実現される機能ブロックを示す図である。
【００５３】
図５に示すように、制御部３１は、通信確立用情報取得部５１と、情報生成部５２と、表示制御部５３として機能する。
【００５４】
通信確立用情報取得部５１は、他装置から送信されてきて通信部３２によって受信された通信確立用情報を取得する。
【００５５】
情報生成部５２は、通信確立用情報取得部５１で取得された通信確立用情報に、活動情報及び利用者情報が含まれる場合はこれらを抽出し、利用者情報と活動情報を対応付けて記憶部３３に記憶する。
【００５６】
情報生成部５２は、記憶部３３に記憶された利用者情報毎の活動情報を解析して、活動情報をランク付けしたランキングデータを生成し、ランキングデータと、ランキング上位の利用者に特典を付与することをメッセージで示した画像情報を生成する。この画像情報は、活動情報測定装置１０の利用者にサービス（ここでは、特典を付与するサービス）を提供するための画像情報となる。
【００５７】
例えば、情報生成部５２は、活動情報に含まれる１週間分の歩数が多い順に利用者をランク付けしたランキングデータを生成する。上記画像情報には、ランキングデータにおける上位（例えば１位〜３位）の利用者に特典を付与することを通知するためのメッセージも含まれる。
【００５８】
ここでいう特典は、例えば、端末装置３０が設置された商業施設で利用することのできる割引券等である。
【００５９】
表示制御部５３は、情報生成部５２で生成された画像情報を表示部３４に表示させる。
【００６０】
以上のように構成されたシステム１００の動作を説明する。
【００６１】
図６は、図２に示す活動情報測定装置１０の動作を説明するためのフローチャートである。
【００６２】
まず、活動情報測定装置１０の制御部２は、通信部３の送信用の通信チャネルを全てオープンにして（ステップＳ１）、端末装置３０を含む他装置に情報を送信可能な状態に移行する。
【００６３】
その後、体動センサ１と生体センサ７により検出される検出情報に基づいて、活動情報測定装置１０の活動情報生成部２０により自装置の利用者の所定期間における活動情報が生成され、生成された活動情報が記憶部５に記憶される（ステップＳ２）。
【００６４】
活動情報測定装置１０の通信制御部２２は、ステップＳ２で記憶部５に記憶された活動情報及び自装置の利用者に関する利用者情報を通信確立用情報に設定し（ステップＳ３）、この通信確立情報を通信部３から送信させる（ステップＳ４）。
【００６５】
ステップＳ４の後はステップＳ２に処理が戻る。このように、活動情報測定装置１０の動作中は、活動情報が随時更新されていくと共に、更新された活動情報と利用者情報を含む通信確立用情報が通信部３から定期的に送信される。
【００６６】
活動情報測定装置１０から通信確立用情報が定期的に送信されることにより、端末装置３０の通信部３２の通信可能範囲に活動情報測定装置１０があると、端末装置３０にて、その通信確立用情報が受信されることになる。
【００６７】
図７は、図２に示す端末装置３０の動作を説明するためのフローチャートである。
【００６８】
端末装置３０の制御部３１は、端末装置３０の管理者による指示に基づいて、通信部３２の受信用の通信チャネルをオープンにして、活動情報測定装置１０を含む他装置からの情報受信を待機する状態となる（ステップＳ１１）。
【００６９】
端末装置３０の通信部３２の通信可能範囲に、活動情報測定装置１０や、通信部３２と同じ規格で通信する近距離無線通信機能を有する装置が入ると、活動情報測定装置１０を含む装置から送信されてくる通信確立用情報が、端末装置３０の通信部３２にて受信される（ステップＳ１２）。
【００７０】
通信確立用情報取得部５１により、通信部３２で受信された通信確立用情報が取得されると、情報生成部５２は、取得された通信確立用情報に活動情報及び利用者情報が含まれるか否かを判定する（ステップＳ１３）。ステップＳ１３の判定がＮＯの場合はステップＳ１２に処理が戻る。
【００７１】
ステップＳ１３の判定がＹＥＳの場合、情報生成部５２は、通信確立用情報から活動情報及び利用者情報を抽出し（ステップＳ１４）、抽出した活動情報及び利用者情報を対応付けて記憶部３３に記憶する（ステップＳ１５）。
【００７２】
情報生成部５２は、記憶部３３に記憶されている全ての利用者情報に対応する活動情報を解析して、活動情報のランキングデータを生成し、ランキングデータを表示するための画像情報を生成する（ステップＳ１６）。
【００７３】
なお、この画像情報は、ランキングデータの上位の利用者に対して特典を付与することを示すメッセージを含む。
【００７４】
続いて、表示制御部５３は、情報生成部５２で生成された画像情報を表示部３４に表示させる（ステップＳ１７）。
【００７５】
図８は、端末装置３０の表示部３４に表示される画面の一例を示す図である。
【００７６】
図８に示すように、表示部３４には、通信確立用情報から抽出した利用者情報であるニックネーム毎に、その利用者情報に対応する週間歩数が多い順に表示されている。また、ランキング１位とランキング２位の利用者に対しては、「１０％ＯＦＦサービス券発行します」「５％ＯＦＦサービス券発行します」のメッセージが追加で表示されている。
【００７７】
以上のように、システム１００によれば、活動情報測定装置１０の利用者は、端末装置３０と通信を確立するための特別な操作を行うことなく、活動情報測定装置１０から端末装置３０に活動情報を送信することができる。
【００７８】
また、端末装置３０では、活動情報測定装置１０と通信を確立するための特別な操作が行われずとも、活動情報測定装置１０から活動情報及び利用者情報を取得することができる。そして、端末装置３０は、取得した活動情報及び利用者情報に基づいて、活動情報測定装置１０の利用者に特典付与といったサービスを提供することができる。
【００７９】
このように、活動情報測定装置１０の利用者は、活動情報測定装置１０を装着して商業施設に行くだけで、商業施設側から特典を受けることが可能になる。利用者は、特典を得るために運動を積極的に行うようになるため、健康増進を図ることができる。
【００８０】
また、特別な操作を必要とせずに利用者が特典を得られるようになることから、活動情報測定装置１０の販売増が期待できる。また、端末装置３０を管理する商業施設では集客効果を高めることができる。
【００８１】
このように、活動情報測定装置１０の利用者、端末装置３０の管理者、活動情報測定装置１０の販売者の３者にとって利益のあるシステムを実現することができる。
【００８２】
図６の動作例では、通信確立用情報に運動情報を含める例を説明した。通信確立用情報に生体情報を含める場合には、端末装置３０の情報生成部５２が、通信確立用情報から抽出した生体情報を解析して健康アドバイスを行うサービスを提供するための画像情報を生成すればよい。
【００８３】
健康アドバイスとしては、“血圧が高めなので、こういった商品がおすすめです”、“脈が乱れているときがあるので、検査してはどうですか”、“ストレスがかかっているようなので、こういった商品がおすすめです”といったものである。
【００８４】
そして、この画像情報が表示部３４に表示されることで、利用者は自身の健康管理を手軽に行うことができる。商業施設にとっては、利用者が頻繁に商業施設に通うようになることを期待でき、集客効果を高めることができる。また、健康関連商品の販促にもつなげることができる。
【００８５】
ここまでは、端末装置３０が商業施設に設置される例を説明した。他の例として、端末装置３０がフィットネスクラブに設置される例を説明する。
【００８６】
フィットネスクラブでは、フィットネスクラブ内での使用に制限して、活動情報測定装置１０を利用者に貸し出すものとする。
【００８７】
利用者に貸し出される活動情報測定装置１０では、活動情報生成部２０が、体動センサ１により検出される検出情報に基づいて、自装置の利用者の所定期間（例えば１分）における運動情報（歩数、移動距離、及び消費カロリーとする）を生成する。
【００８８】
また、活動情報生成部２０は、生体センサ７により検出される検出情報に基づいて、自装置の利用者の上記所定期間（例えば１分）における生体情報を生成する。
【００８９】
そして、活動情報記録制御部２１は、活動情報生成部２０により生成された１分間の運動情報を記憶部５に記憶し、活動情報生成部２０により生成された１分間の生体情報を記憶部５に記憶する。記憶部５に記憶される運動情報及び生体情報を含む活動情報は、１分毎に上書きされていく。
【００９０】
通信制御部２２は、記憶部５に記憶された１分間分の活動情報と利用者情報を通信確立用情報に含ませて通信部３から送信させる処理を１分毎に行う。
【００９１】
フィットネスクラブの利用者が、この活動情報測定装置１０を装着して運動を行うと、活動情報測定装置１０から１分毎に活動情報及び利用者情報を含む通信確立用情報が端末装置３０に送信される。
【００９２】
端末装置３０の制御部３１は、活動情報測定装置１０から受信した通信確立用情報に含まれる活動情報を、利用者情報毎に記憶部３３に蓄積していく。
【００９３】
そして、端末装置３０の情報生成部５２は、活動情報測定装置１０から取得した活動情報及び利用者情報に基づいて、記憶部３３に蓄積された利用者毎の活動情報（歩数、移動距離、消費カロリー）の積算値を表示したり、各利用者の活動情報（歩数、移動距離、消費カロリー）の積算値をランキング形式で表示したり、利用者の生体情報（例えば心拍数）の推移を表示したりするための画像情報（サービス提供のための画像情報）を生成する。
【００９４】
この画像情報が端末装置３０の表示部３４に表示されることで、利用者は、自身の運動の成果や運動負荷等を知ることができる。また、ランキングを表示させることで、利用者のモチベーションを高めることができる。
【００９５】
この例によれば、活動情報測定装置１０内には、活動情報を１分間分だけ記憶するメモリ容量があればよく、活動情報測定装置１０の製造コストを下げることができる。
【００９６】
フィットネスクラブにとっては、初期コストを抑えながら、利用者に付加価値を与える（サービスを提供する）ことができ、会員の増加を期待することができる。
【００９７】
システム１００によれば、利用者は、以上のようなサービスを、面倒な作業を行うことなく、容易に受けることができる。したがって、活動情報測定装置の利用シーンを増やして、活動情報測定装置の利用促進を図ることができる。そして、端末装置３０を設置する施設側は、集客メリットがあり、活動情報測定装置の利用者は、運動の動機付けとなり、健康増進につながる。
【００９８】
活動情報測定装置１０の通信制御部２２は、通信確立用情報に運動情報と生体情報を含む活動情報を設定するものとしている。通信確立用情報にどのような情報を含めるかは、利用者に提供するサービス内容によって決めればよく、運動情報のみ、もしくは、生体情報のみを通信確立用情報に含めた形で送信するようにしてもよい。
【００９９】
図９は、図２に示す活動情報測定装置１０の変形例である活動情報測定装置１０Ａの内部構成を示す図である。
【０１００】
図９に示す活動情報測定装置１０Ａは、ＧＰＳ（Ｇｌｏｂａｌ  Ｐｏｓｉｔｉｏｎｉｎｇ  Ｓｙｓｔｅｍ）受信部８を追加した点と、通信制御部２２の機能が一部異なる点とを除いては、活動情報測定装置１０と同じ構成である。
【０１０１】
ＧＰＳ受信部８は、図示しないＧＰＳアンテナを用いて、活動情報測定装置１０Ａの現在位置を示す信号（位置情報）を受信する。ＧＰＳ受信部８は位置情報を取得する位置情報取得部として機能する。
【０１０２】
活動情報測定装置１０Ａの通信制御部２２は、記憶部５に記憶された活動情報及び利用者情報を含む通信確立用情報を通信部３から送信させる第一の制御と、活動情報と利用者情報を含まない通常の通信確立用情報を通信部３から送信させる第二の制御とのいずれかを、ＧＰＳ受信部８で取得された位置情報にしたがって選択して実行する。
【０１０３】
具体的には、通信制御部２２は、ＧＰＳ受信部８により取得された位置情報が予め登録された場所に属する場合には第一の制御を行い、該位置情報が予め登録された場所に属さない場合には第二の制御を行う。
【０１０４】
活動情報測定装置１０Ａの記憶部５には、端末装置３０が設置される施設の位置情報（経度、緯度）が予め登録されている。この情報は、インターネット等のネットワークを介したダウンロードによって追加登録することもできる。
【０１０５】
通信制御部２２は、ＧＰＳ受信部８により取得された位置情報と、記憶部５に登録されている各施設の位置情報とを比較し、各施設の位置情報を中心とする所定の半径の円内（施設の属する場所）に、ＧＰＳ受信部８により取得された位置情報がある場合には、ＧＰＳ受信部８により取得された位置情報が予め登録された施設の場所に属すると判断する。
【０１０６】
通信制御部２２は、各施設の位置情報を中心とする所定の半径の円内に、ＧＰＳ受信部８により取得された位置情報がない場合には、ＧＰＳ受信部８により取得された位置情報が予め登録された施設の場所に属さないと判断する。
【０１０７】
図１０は、図９に示す活動情報測定装置１０Ａの動作を説明するためのフローチャートである。図１０において図６と同一処理には同一符号を付して説明を省略する。
【０１０８】
活動情報測定装置１０Ａの制御部２は、ステップＳ２の後、ＧＰＳ受信部８で受信された位置情報を取得する（ステップＳ２１）。
【０１０９】
活動情報測定装置１０Ａの通信制御部２２は、取得された位置情報が予め登録された施設の場所に属するか否かを判定する（ステップＳ２２）。
【０１１０】
ステップＳ２２の判定がＹＥＳのとき、活動情報測定装置１０Ａの通信制御部２２は、活動情報及び利用者情報を通信確立用情報に含ませ（ステップＳ３）、この通信確立情報を通信部３から送信させる（ステップＳ４）。
【０１１１】
ステップＳ２２の判定がＮＯのとき、活動情報測定装置１０Ａの通信制御部２２は、通信確立用情報に活動情報及び利用者情報を含めない状態で、この通信確立用情報を通信部３から送信させる（ステップＳ２３）。ステップＳ２３の後はステップＳ２に処理が戻る。
【０１１２】
以上のように、この変形例によれば、活動情報測定装置１０Ａは、活動情報及び利用者情報を含む通信確立用情報を通信部３から送信させる第一の制御と、活動情報及び利用者情報を含まない通信確立用情報を通信部３から送信させる第二の制御と、を選択的に行うことができる。
【０１１３】
第一の制御は、活動情報生成部２０によって生成されて記憶部５に記憶された活動情報を定期的に読み出して通信確立用情報に書き込むという処理が発生するが、第二の制御によれば、この処理は不要となる。このため、第二の制御時には活動情報測定装置１０Ａの電力消費を下げることができる。
【０１１４】
活動情報測定装置１０Ａによれば、端末装置３０が設置される施設の近くに利用者がいるときにだけ第一の制御が行われることになる。このため、活動情報測定装置１０Ａの電力消費を抑えて電池持ちをよくすることができる。
【０１１５】
活動情報測定装置１０Ａでは、第一の制御と第二の制御とをマニュアル操作によって選択することができるような設定メニューを設け、利用者がどちらの制御を行うかを自由に設定することができるようにしてもよい。
【０１１６】
また、活動情報測定装置１０Ａの電池残量が閾値以下になったときには、マニュアル設定や位置情報による設定に関わらずに、通信制御部２２が第二の制御を行うようにしてもよい。これにより、省エネモードに移行して、装置を少しでも長く動作させることができる。
【０１１７】
活動情報測定装置１０Ａは、ＧＰＳアンテナを用いて位置情報を取得するようにしているが、位置情報の取得方法はこれに限らない。例えば、通信部３がＷｉ−Ｆｉ通信を行うものであれば、Ｗｉ−Ｆｉ基地局からの電波情報によって制御部２が簡易的に位置情報を取得することもできる。
【０１１８】
コンピュータに、図６、図７、図１０に示したフローチャートの各ステップを実行させるためのプログラム、又は、コンピュータを図３又は図５の各機能ブロックとして機能させるためのプログラムは、当該プログラムをコンピュータが読取可能な一時的でない（ｎｏｎ−ｔｒａｎｓｉｔｏｒｙ）記録媒体に記録されて提供可能である。
【０１１９】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【０１２０】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１２１】
以上説明してきたように、本明細書には以下の事項が開示されている。
【０１２２】
開示された活動情報測定装置は、センシングデバイスの出力情報に基づいて、運動情報と生体情報の少なくとも一方を含む生体の活動情報を生成する活動情報生成部と、近距離無線通信を行うための通信部と、前記通信部による他装置との通信確立のために必要な通信確立用情報に、前記活動情報生成部により生成された活動情報と装置の利用者に関する利用者情報とを含ませて、前記通信確立用情報を前記通信部から送信させる第一の制御を行う通信制御部と、を備えるものである。
【０１２３】
開示された活動情報測定装置は、前記通信制御部は、前記活動情報及び前記利用者情報を含まない通信確立用情報を前記通信部から送信させる第二の制御と前記第一の制御とを選択的に行うものである。
【０１２４】
開示された活動情報測定装置は、位置情報を取得する位置情報取得部を更に備え、前記通信制御部は、前記位置情報取得部により取得された位置情報にしたがって前記第一の制御と前記第二の制御のいずれかを選択して実行するものである。
【０１２５】
開示された活動情報測定装置は、前記通信制御部は、前記位置情報取得部により取得された位置情報が予め登録された場所に属する場合には前記第一の制御を行い、前記位置情報取得部により取得された位置情報が前記場所に属さない場合には前記第二の制御を行うものである。
【０１２６】
開示された端末装置は、近距離無線通信を行うための第一の通信部と、センシングデバイスの出力情報に基づいて、運動情報と生体情報の少なくとも一方を含む生体の活動情報を生成する活動情報生成部と、近距離無線通信を行うための第二の通信部と、前記第二の通信部による他装置との通信確立のために必要な通信確立用情報に、前記活動情報生成部により生成された活動情報と装置の利用者に関する利用者情報とを含ませた状態で、前記通信確立用情報を前記第二の通信部から送信させる第一の制御を行う通信制御部と、を有する活動情報測定装置から、前記第一の制御によって送信されてくる前記通信確立用情報を前記第一の通信部を介して取得する通信確立用情報取得部と、前記取得した通信確立用情報に含まれる活動情報及び前記利用者情報に基づいて、前記活動情報測定装置の利用者にサービスを提供するための画像情報を生成する情報生成部と、前記情報生成部により生成された画像情報を表示部に表示させる表示制御部と、を備えるものである。
【０１２７】
開示された通信制御方法は、近距離無線通信を行うための通信部と、センシングデバイスの出力情報に基づいて、運動情報と生体情報の少なくとも一方を含む生体の活動情報を生成する活動情報生成部と、を有する装置における通信制御方法であって、前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行うものである。
【０１２８】
開示されたサービス提供方法は、センシングデバイスの出力情報に基づいて、運動情報と生体情報の少なくとも一方を含む生体の活動情報を生成する活動情報生成部と、近距離無線通信を行うための通信部と、前記通信部による他装置との通信確立のために必要な通信確立用情報に、前記活動情報生成部により生成された活動情報と装置の利用者に関する利用者情報とを含ませた状態で、前記通信確立用情報を前記通信部から送信させる第一の制御を行う通信制御部と、を有する活動情報測定装置から、前記第一の制御によって送信されてくる前記通信確立用情報を、近距離無線通信を行うための通信部を介して取得する通信確立用情報取得ステップと、前記取得した通信確立用情報に含まれる活動情報及び前記利用者情報に基づいて、前記活動情報測定装置の利用者にサービスを提供するための画像情報を生成する情報生成ステップと、前記情報生成ステップにより生成された画像情報を表示部に表示させる表示制御ステップと、を備えるものである。
【０１２９】
開示された通信制御プログラムは、コンピュータに、前記通信制御方法の各ステップを実行させるためのプログラムである。
【０１３０】
開示されたサービス提供プログラムは、コンピュータに、前記サービス提供方法の各ステップを実行させるためのプログラムである。
【符号の説明】
【０１３１】
１  体動センサ
２  制御部
３  通信部
５  記憶部
６  表示部
７  生体センサ
１０  活動情報測定装置
２０  活動情報生成部
２２  通信制御部
３０  端末装置
３１  制御部
３２  通信部
３４  表示部
５１  通信確立用情報取得部
５２  情報生成部
５３  表示制御部
【図１】
2017012661.tif 000003
【図２】
2017012661.tif 000004
【図３】
2017012661.tif 000005
【図４】
2017012661.tif 000006
【図５】
2017012661.tif 000007
【図６】
2017012661.tif 000008
【図７】
2017012661.tif 000009
【図８】
2017012661.tif 000010
【図９】
2017012661.tif 000011
【図１０】
2017012661.tif 000012